(57)【要約】【目的】本発明の目的は、家庭や職場のどこにでも持ち運びできて、必要な時に誰にでも容易に使用でき、種々の被照射体に利用可能な直線偏光近赤外線照射装置を提供することである。【構成】手指で把握操作可能な断面積と長さを有した携帯可能な筒状ケース３に、近赤外線と共に可視光線を連続スペクトルとして発光する発光源４と、この発光源の周囲に配置され可視光線を近赤外線に変換する波長変換材６と、発光源から放射される近赤外線を直線偏光化するポラライザ８と、このポラライザ８と発光源４との間に配置された可視光線を吸収減衰させる可視光線吸収材１０と、近赤外線をポラライザ８に透過させ外部に放射させる照射口１２とから構成され配置されている。照射口１２から放射される直線偏光近赤外線を被照射体に照射する小型近赤外線照射装置である。【選択図】  図１
2007044091.tif 000002
【特許請求の範囲】
【請求項１】
手指で把握操作可能な断面積と長さを有した携帯可能な筒状ケースと、前記筒状ケース内の所要位置に配置された近赤外線を放射する発光源と、前記筒状ケース内に配置され前記発光源から放射される近赤外線を直線偏光化するポラライザと、前記ポラライザを透過した直線偏光近赤外線を外部に放射する前記筒状ケース先端の照射口と、前記発光源の発光を制御する発光制御器から少なくとも構成され、前記照射口から放射される直線偏光近赤外線を被照射体に照射することを特徴とする小型近赤外線照射装置。
【請求項２】
前記発光源が近赤外線と共に可視光線を連続スペクトルとして発光する請求項１に記載の小型近赤外線照射装置。
【請求項３】
前記発光源の周囲に可視光線を近赤外線に変換する波長変換材を配置し、前記ポラライザに入射する近赤外線の強度を増幅する請求項２に記載の小型近赤外線照射装置。
【請求項４】
前記ポラライザの前又は後に可視光線を吸収減衰させる可視光線吸収材を配置し、前記照射口から放射される直線偏光近赤外線の純度を高める請求項２又は３に記載の小型近赤外線照射装置。
【請求項５】
前記発光源は近赤外波長域の1つ以上の単色近赤外線を発光する半導体発光源である請求項１に記載の小型近赤外線照射装置。
【請求項６】
前記発光源はＬＥＤ組合体からなり、発光波長の異なる複数のＬＥＤの放射面が前記筒状ケースの放射方向に揃えて配置される請求項５に記載の小型近赤外線照射装置。
【請求項７】
前記発光制御器が前記筒状ケース内に装填される請求項１〜６のいずれかに記載の小型近赤外線照射装置。
【請求項８】
前記発光制御器が前記筒状ケースと別に配置され、前記筒状ケースと前記発光制御器が接続ケーブルで接続される請求項１〜６のいずれかに記載の小型近赤外線照射装置。
【発明の詳細な説明】
【技術分野】
【０００１】
本発明は、動植物や無機物に照射する近赤外線照射装置に関し、更に詳細には、ランダムに偏光した近赤外線を直線偏光化して被照射体に照射する直線偏光近赤外線照射装置に関するものである。
【背景技術】
【０００２】
昔から健康を維持するためにマッサージ、指圧、針治療などが盛んに行われてきたが、近年、めまぐるしい社会環境の変化につれてストレスを原因とした体調不良に悩まされる人々が多い。また、人と同様に動物にもストレスを原因とした様々の病気が発生して飼い主を悩ましている。従って、家庭や職場で手軽に使用でき誰にでも安全に扱え、動物などにも利用できる新しい健康器具の開発が期待されている。  
【０００３】
実際、病院等の専門機関では、慢性的な痛みに対して知覚神経や交換神経のブロック療法や薬物療法、各種の物理療法などが施されているが、これらの治療方法は、取り扱いに高度な技術が求められ、針の刺しいれに伴う痛みなど患者にかかる負担が大きい。従って、患者に苦痛を与えない治療法が見直されている。
【０００４】
これまで一般家庭などで使用されてきた健康器具としては、低周波を応用したマッサージ器やホットバックなどの温熱具、赤外線灯を用いた光線治療器などがある。近年、特に病院等の専門機関で注目されているのが、レーザー光を利用したレーザー治療器や近赤外線を照射する近赤外線照射装置などである。
【０００５】
レーザー治療器は、低出力で単波長の光線を照射できるので、圧痛点や炎症部位などにピンスポット的に照射し、鎮痛、消炎、創傷治癒に対する有効性が高いが、従来の赤外線治療器は、赤外線ランプから発生する赤外線を含む光を反射鏡で反射させ照射するもので、十分なエネルギー密度をもつ赤外線を照射できなかった。これに反し、近年、特に注目されている近赤外線照射装置は、光線の中でもっとも生体深達性の高い近赤外線をスポット状に照射できる装置である。照射される光エネルギーは、患部の局所において熱エネルギーに変換され、痛みなどの苦痛が全くなく、鍼や温灸のような心地よい刺激感と温感を有している。
【０００６】
このような有効性を有する直線偏光近赤外線照射装置に関する先行技術として国際公開公報ＷＯ９６／２１４９０号公報（特許文献１）が開示されている。この技術は、理学診療用のための近赤外線治療器に関するもので、小さな患部に対しても十分なエネルギー密度を有する近赤外線を照射することができる装置に関するものである。
【特許文献１】国際公開公報ＷＯ９６／２１４９０号公報
【発明の開示】
【発明が解決しようとする課題】
【０００７】
特許文献１に記載の直線偏光近赤外線照射装置は、照射装置本体と照射部材が分離して配置され、照射装置本体に発光源として大容量のハロゲンランプが用いられている。そのため発熱量が大きく放熱のために大きな冷却用ファンの設置を要し、光ケーブルを通じて照射部材に近赤外線を放射するための複雑な電気制御回路が必要となっている。その結果、照射装置本体の大きさは、幅５０ｃｍ位、奥行き２０ｃｍ位、高さ１００ｃｍ位あり、重量も重くて移動用キャスターにより移動しなければならず、価格的にも非常に高価なものである。また、近赤外線の光束を集光レンズにより絞り込んで強力な近赤外線を照射できるので、取り扱いには細心の注意が要求され、専門家でなければ使用できないものである。更に、使用電源には専用回路が必要で、どこででも使用することができない。従って、家庭や職場のどこででも気軽に利用できるものでなく、病院などの専門機関で専属の係員が使用しているに過ぎない。
【０００８】
本発明者は、前述の優れた効能を有する直線偏光近赤外線をどこででも必要な時に利用できるよう本発明を創案した。従って、本発明の目的は、家庭や職場のどこにでも持ち運びできる小型軽量性、必要な時に誰にでも容易に使用できる操作性の良さ、どんな被照射体にも利用可能な安全性を有し、価格的に安価な直線偏光近赤外線照射装置を提供することである。
【課題を解決するための手段】
【０００９】
本発明は、上記課題を解決するために提案されたものであって、本発明の第１の形態は、手指で把握操作可能な断面積と長さを有した携帯可能な筒状ケースと、筒状ケース内の所要位置に配置された近赤外線を放射する発光源と、筒状ケース内に配置され前記発光源から放射される近赤外線を直線偏光化するポラライザと、ポラライザを透過した直線偏光近赤外線を外部に放射する筒状ケース先端の照射口と、前記発光源の発光を制御する発光制御器から少なくとも構成され、照射口から放射される直線偏光近赤外線を被照射体に照射する小型近赤外線照射装置である。
【００１０】
本発明の第２の形態は、第１の形態において、発光源が近赤外線と共に可視光線を連続スペクトルとして発光する小型近赤外線照射装置である。
【００１１】
本発明の第３の形態は、第２の形態において、発光源の周囲に可視光線を近赤外線に変換する波長変換材を配置し、ポラライザに入射する近赤外線の強度を増幅する小型近赤外線照射装置である。
【００１２】
本発明の第４の形態は、第２又は第３の形態において、ポラライザの前又は後に可視光線を吸収減衰させる可視光線吸収材を配置し、照射口から放射される直線偏光近赤外線の純度を高める小型近赤外線照射装置である。
【００１３】
本発明の第５の形態は、第１の形態において、発光源が近赤外波長域の1つ以上の単色近赤外線を発光する半導体発光源である小型近赤外線照射装置である。
【００１４】
本発明の第６の形態は、第５の形態において、発光源はＬＥＤ組合体からなり、発光波長の異なる複数のＬＥＤの放射面が筒状ケースの放射方向に揃えて配置される小型近赤外線照射装置である。
【００１５】
本発明の第７の形態は、第１〜６の形態において、発光制御器が筒状ケース内に装填される小型近赤外線照射装置である。
【００１６】
本発明の第８の形態は、第１〜６の形態において、発光制御器が筒状ケースと別に配置され、筒状ケースと発光制御器が接続ケーブルで接続される小型近赤外線照射装置である。
【発明の効果】
【００１７】
本発明の第１の形態によれば、手指で把握し操作可能な断面積と長さを有した筒状ケースに近赤外線照射装置が収納されているから、小型でどこにでも携帯して持ち運びできる。また、手指で把握操作できるので老人や子供でも容易に使用できる。更に、近赤外線を放射する発光源が筒状ケース外ではなく筒状ケース内に配置されているので、小さな発光源で近赤外線を照射でき、複雑で大掛りな電気回路を必要としない。その結果、消費電力を小さくでき、近赤外線照射装置の小型軽量化と低価格化が実現できる。また、発光源の前にポラライザを配置して従来、大型の装置でなければ照射できなかった直線偏光近赤外線を照射できる。本発明に係るポラライザは、円偏光、ランダム偏光などの光をすべて直線偏光に変換するポラライザであり、このポラライザは、通常の偏光板、ビームスプリッタ、直線偏光素子などを包含している。この直線偏光近赤外線は、生体深達性が極めて高く種々の効果を有しており、従来、病院などの専門機関でしか利用できなかった。本発明の小型近赤外線照射装置により、家庭や職場の一人一人が直線偏光近赤外線を利用して種々の効果を達成できる。更に、使用電源を蓄電池式や乾電池式にすれば、どこにでも持ち運びでき、必要な時にいつでも使用することができる。
【００１８】
本発明の第２の形態によれば、発光源は、近赤外線と共に可視光線を連続スペクトルとして放射しているから、近赤外線が有する特有の照射効力を和らげる効果がある。従って、人や動植物の皮膚や外皮に照射すれば照射部位に優しい刺激を与えることができ、安全に利用できる。近赤外線と共に可視光線を連続スペクトルとして発光する発光源には、ハロゲンランプ、キセノンランプ、タングステンランプ等があり、使用容量に応じて大小様々の球があるから使用目的に応じて選択して使用できる。従って、使用目的に応じた最適な大きさの筒状ケースを作製でき近赤外線照射装置の小型軽量化を実現できる。
【００１９】
本発明の第３の形態によれば、発光源の周囲に可視光線を近赤外線に変換する波長変換材を配置して近赤外線の強度を増幅できるので、発光源の消費電力を少なくできる。波長変換材を発光源の周囲全体に配置すれば、近赤外線の強度をより一層増幅することができ、より一層消費電力を少なくできる。更に、近赤外線が透過する筒状ケース内を鏡面仕上に形成することにより近赤外線強度の減衰を防止でき、消費電力をより一層少なくできるので、近赤外線照射装置を長時間使用できる。
【００２０】
本発明の第４の形態によれば、ポラライザの前又は後に可視光線を吸収減衰させる可視光線吸収材を配置し、照射口から放射される直線偏光近赤外線の純度を高めることができるので、近赤外線特有の照射効力を増大できる。従って、より小さな発光源で発光できるから、消費電力をより少なくでき長時間の使用ができる。
【００２１】
本発明の第５の形態によれば、発光源が1つ以上の単色近赤外線を発光する半導体発光源であるから可視光線が含まれていないので、波長変換材や可視光線吸収減衰フィルターの配置の必要がない。更に、半導体発光源は、小電力で発光し発熱が少ないので、冷却用ファンなどの放熱装置が不要であるから、近赤外線照射装置の小型軽量化が達成できる。また、特定の波長を発光する半導体発光源を用いれば高い生体深達性を達成でき、照射効率を高めることができるから消費電力も小さくできる。その結果、近赤外線照射装置をより小型軽量化でき、しかも低価格で製造できる。また、半導体発光源を用いた近赤外線照射装置は、小電力で発光するから消費電力も少なく短時間の充電で長時間使用でき、しかも、耐久性が高く小型軽量なので使い易く便利である。半導体発光源には、発光ダイオードや半導体レーザーなどがあり、発光ダイオードには各波長の発光ダイオードがあり容易に利用できる。半導体レーザーは、指向性が強く光束の密度が高いので凹レンズなどで拡散すれば安全に利用できる。
【００２２】
本発明の第６の形態によれば、発光源が、発光波長の異なる複数のＬＥＤ組合体から構成されているので、使用目的に適した波長域の近似スペクトルを自在に形成でき、照射効力の高い近赤外線を照射できる。従って、照射効率を高めることができ消費電力を一層少なくできるから、短時間の充電でも長時間の使用ができる。
【００２３】
本発明の第７の形態によれば、発光制御器が筒状ケース内に装填されているので持ち運びに便利で、使用電源を蓄電池式、乾電池式にすれば商用電源がないところでも使用できる。また、筒状ケースは手指で把持しながら操作できるので、どのような場所でも照射できる。また、発光制御器を筒状ケースに一体として装填して製造できるから、製造部品数を少なくでき製造工程を簡素化して製造コストを低下できる。
【００２４】
本発明の第８の形態によれば、発光制御器が筒状ケースと別に配置されているので、発光源の発熱から発光制御器を保護する必要がなく、冷却のための装置が不要であるから筒状ケースを小型軽量化できる。従って、筒状ケースの操作性を高めることができ、どのような場所でも近赤外線を照射できる。その上、筒状ケースと発光制御器を別個に形成しているので各々をより一層小型化でき、接続ケーブルを取り外し自由に配置すれば容易に持ち運びできる。逆に、発光制御器をより大型化すれば筒状ケースの照射効力をより高めることができる。
【発明を実施するための最良の形態】
【００２５】
以下、本発明に係る小型近赤外線照射装置の実施の形態を図に基いて詳細に説明する。
【００２６】
光は、波長が長くなるにしたがって紫外線、可視光線、赤外線と分布する。更に、赤外線は近赤外線、中赤外線、遠赤外線に分かれ、近赤外線は、大体０．６５〜１．５ミクロン位の波長域にあり、中赤外線は、大体１．５〜５ミクロン位の波長域にあり、遠赤外線は、大体５〜１０００ミクロン位の波長域にある。遠赤外線は、皮膚に照射されると皮膚に含まれているＨ２Ｏと反応して、皮膚の表面に効果的に作用するので色々と利用されてきた。これに反し、近赤外線はＨ２Ｏとの相互作用が少なく、そのため殆んど利用されてこなかったが、近年、近赤外線の生体深達性が注目され、直線偏光近赤外線療法の有効性、例えば、難治性円形脱毛症に対する効果や顎関節症の疼痛を緩和し、顎の開口量の改善や、星状神経節近傍の照射によるレイノー症状の改善効果、帯状疱疹・帯状疱疹後の神経痛に対する鎮痛効果などが報告されている。近赤外線照射による生体への詳しい作用メカニックについては殆んど不明であるが、近赤外線の照射による血管の拡張や生体活性物質の生産促進作用、更に、神経性興奮に対する抑制作用などに関与し、鎮痛や消炎、創傷治癒に効果をもたらすと考えられている。
【００２７】
このように、直線偏光近赤外線は高い有用性が広い領域で認められているが、病院などの専門機関での利用だけでなく、森林浴や自然浴を親しむように家庭や職場でいつでも利用できるよう小型軽量化し、どこにでも持ち運びでき誰にでも容易に操作できるように取扱を安全にしたものが本発明に係る近赤外線照射装置である。この近赤外線照射装置は、人や動植物だけでなく無機物に対しても利用でき、近赤外線照射による様々の効果を達成できる。
【００２８】
図１は、本発明に係る発光源が近赤外線と共に可視光線を連続スペクトルとして発光する小型近赤外線照射装置の模式横断面図である。この小型近赤外線照射装置２は、手指で把握操作可能な断面積と長さを有した携帯可能な筒状ケース３に、近赤外線と共に可視光線を連続スペクトルとして発光する発光源４と、この発光源の周囲に配置され可視光線を近赤外線に変換する波長変換材６と、発光源から放射される近赤外線を直線偏光化するポラライザ８と、このポラライザ８と発光源４との間に配置された可視光線を吸収減衰させる可視光線吸収材１０と、近赤外線をポラライザ８に透過させ外部に放射させる照射口１２とから構成されている。照射口１２とポラライザ８との間には、ポラライザ８を保護するためにサファイヤガラス１４が配置されている。このサファイヤガラス１４の代わりに他の透光性部材を使用することもでき、例えば、ガラス、プラスチックなどの透光性部材を利用することができる。この透光性部材としては、熱伝導性の高い材料が好ましく、近赤外線によって発生する熱を、筒状ケース３を介して装置外へ放出することができ、本発明に係る小型近赤外線照射装置の安定性と耐久性を向上させることができる。前記サファイヤガラス１４は、ガラスの中でも特に高い熱伝導性を有している。また、発光源４の発光を制御する発光制御器は、外部に配置され接続ケーブル１６により接続されている。なお、図１には省略されているが、発光源の背後に発熱を冷却させるための冷却用ファンの配置が考えられる。
【００２９】
近赤外線と共に可視光線を連続スペクトルとして発光する発光源４しては、ハロゲンランプ、タングステンランプ、キセノンランプ等があるが、本発明には耐久性の観点からキセノンランプが好適である。発光源４が配置された筒状ケースの断面には、円形、楕円形、四角形等があるが、円形が反射面を構成する上で好ましい。また、近赤外線が透過する筒状ケース内を鏡面仕上にすることで照射力を増加できる。筒状ケースの形状は、掌握しやすいペン型やピストル型などがある。
【００３０】
近赤外線を直線偏光化するポラライザ８は、偏光フィルターという偏光膜をポリカーポネートでサンドイッチして形成されている。この偏光フィルターは、横方向に格子状のスリットが入っているフイルムで、横方向の平面の光は透過するが、縦方向の平面の光は透過しないという性質を有している。従って、放射される近赤外線がポラライザを通過すれば、横方向の平面の光だけが透過して直線偏光される。直線偏光された近赤外線には前述のとおり様々な効果が知られている。
【００３１】
図２は、本発明に係る可視光線吸収材及び波長変換材によるキセノンランプの連続スペクトル変化図である。縦軸に強さ（Intensity）を任意単位で示し、横軸に波長（Wavelength）をｎｍで示す。短破線Ａは、波長域が３６０〜１０００ｎｍの近赤外線と共に可視光線を含んだキセノンランプ光の連続スペクトルである。長破線Ｂは、可視光線吸収材を透過したキセノンランプ光の連続スペクトルであり、波長３６０〜６００ｎｍ位の可視光線が可視光線吸収材により吸収されていることが分る。実線Ｃは、可視光線のある波長帯を波長変換材により変換させ、可視光線吸収材により可視光線を吸収させたキセノンランプ光の連続スペクトルである。長破線Ｂに比べ近赤外線領域で強さ（Intensity）が増加していることが分る。
【００３２】
可視光線吸収材１０は、カラーガラス板で構成され、波長約３６０〜６００ｎｍの可視光線を吸収し、生体深達性の高い近赤外線の純度を高める。波長変換材６は、可視光線を波長変換して近赤外線の照射力を増加させる。特に、可視光線の中でも赤色波長域の可視光線を効率的に変換できる波長変換材が望ましい。
【００３３】
図３は、本発明に係る発光源が半導体発光源である小型近赤外線照射装置の模式横断面図である。この小型近赤外線照射装置２０は、半導体発光源２２と、半導体発光源２２を構成する半導体発光素子２３と、半導体発光素子２３から放射される単色近赤外線を直線偏光化するポラライザ２４と、この近赤外線をポラライザ２４に透過させ外部へ照射させる照射口２６とから構成されている。この照射口２６には、ポラライザ２４を保護するためにサファイヤガラス２８が照射口２６とポラライザ２４との間に配置されている。また、半導体発光源２２の発光を制御する発光制御器は外部に配置され、接続ケーブル３０により接続されている。また、図１、３には明記されていないが、サファイヤガラス２８の内側に集光レンズを設けて、２段に構成された筒状ケースを前後に調節することにより近赤外線の光束を絞ることができる。
【００３４】
半導体発光源２２は、小電力で発光し発熱が少ないので冷却用ファンが不要で、近赤外線照射装置の小型化、軽量化ができる。また、短時間で充電でき長時間照射も可能である。半導体発光源２２には、発光ダイオードや半導体レーザーなどがある。発光ダイオードには、「赤色」、「黄緑色」、「黄色」の発光ダイオードがあるが、本発明には「赤色」の赤外線発光ダイオードが好ましい。半導体レーザーも出力を調整すれば安全に使用できる。
【００３５】
図４は、波長６５０、７００、７５０、８００、９００ｎｍの光を発光するＬＥＤの組合体からなる半導体発光源の近似連続スペクトル図である。縦軸に強さ（Intensity: a.u.）を示し、横軸に波長（Wavelength: nm）を示す。実線１Ａは波長６５０ｎｍ、実線２Ａは波長７００ｎｍ、実線３Ａは波長７５０ｎｍ、実線４Ａは波長８００、実線５Ａは波長９００におけるそれぞれのＬＥＤの発光強さを示している。図４から分かるように、波長６５０〜９００ｎｍのＬＥＤ組合体からなる半導体発光源は、ＬＥＤの数を増加すれば点線Ｂに示す近似連続スペクトルを形成できる。従って、使用目的に応じた有効な波長領域を有する近赤外線を形成して照射できる。
【００３６】
図５は、本発明に係る発光源の発光時間と休止時間との関係図である。縦軸に強さ（Intensity）を任意単位で示し、横軸に時間（Ｓ）を示す。実施例では２０秒間（Ｔ１）発光し５秒間（Ｔ２）停止する。発光時間は自在に調整でき、一定時間発光後休止して、これの繰り返しによる照射は連続照射に比べ効果的で、しかも放熱や発光効率の面から好ましい。
【００３７】
図６は、本発明に係る発光制御器が筒状ケース内に装填される小型近赤外線照射装置（一体型）の模式図である。小型近赤外線照射装置３１は、筒状ケース内に発光源３２と発光制御器３４を配置して構成され、発光制御器３４は制御回路３６と蓄電池３８とから構成されている。制御回路３６は、時間制御回路と電圧電流制御回路とから構成されている。６、８、１０、１２、１４については図１と同様なので記載を省略する。この小型近赤外線照射装置（一体型）は、外部に配置された充電器に接続して充電すれば、どこにでも持ち運びでき使用することができる。
【００３８】
図７は、本発明に係る発光制御器が筒状ケースと接続ケーブルで接続される小型近赤外線照射装置（分離型）の模式図である。小型近赤外線照射装置４０は、筒状ケース４２と発光制御器４４とから構成され、接続ケーブル４６により接続されている。筒状ケース４２と発光制御器４４とを別個に位置しているのでそれぞれ小型化することができ、どこにでも持ち運びできて電源を用意すれば使用できる。
【００３９】
図８は、本発明に係る小型近赤外線照射装置の電流制御ブロック図である。（８Ａ）は、小型近赤外線照射装置の主要制御回路のブロック図である。発光源５１の電流を制御する制御回路５０は、時間制御回路５２と電圧電流制御回路５４とから構成されている。（８Ｂ）は、商用電源を電源とする小型近赤外線照射装置の電流制御ブロック図である。外部の商用電源５６に接続して直流変換器５８により交流を直流に変換し、制御回路５０にて制御して発光源５１の稼動電源としている。従って、商用電源５６があればどこででも使用できる。（８Ｃ）は、蓄電池が筒状ケース内に装填されている小型近赤外線照射装置の電流制御ブロック図である。商用電源５６に接続された外部充電器６０により筒状ケース内の蓄電池６２を充電し、制御回路５０にて制御して発光源５１の稼動電源としているので、充電すればどこででも使用できる。（８Ｄ）は、筒状ケース内に乾電池が取り外しできるように配置されている小型近赤外線照射装置の電流制御ブロック図である。乾電池６４の直流を制御回路５０にて制御して発光源５１の稼動電源としている。
【産業上の利用可能性】
【００４０】
本発明の小型近赤外線照射装置は、手指で把握し操作できる程の大きさなので、どこにでも携帯でき必要な時に誰にでも利用できるので、健康器具として利用されるだけでなく、様々な利用方法が考えられる。例えば、動物の病気治療や植物の生育改善などの利用に留まらず、照射により発生する熱効果を利用できる様々な行為に使用できる。
【図面の簡単な説明】
【００４１】
【図１】本発明に係る発光源が近赤外線と共に可視光線を連続スペクトルとして発光する小型近赤外線照射装置の模式横断面図である。
【図２】本発明に係る可視光線吸収材及び波長変換材によるキセノンランプの連続スペクトル変化図である。
【図３】本発明に係る発光源が半導体発光源である小型近赤外線照射装置の模式横断面図である。
【図４】波長６５０〜９００ｎｍの光を発光するＬＥＤの組合体からなる半導体発光源の連続スペクトル図である。
【図５】本発明に係る発光源の発光時間と休止時間との関係図である。
【図６】本発明に係る発光制御器が筒状ケース内に装填される小型近赤外線照射装置（一体式）の模式図である。
【図７】本発明に係る発光制御器が筒状ケースと接続ケーブルで接続される小型近赤外線照射装置（分離型）の模式図である。
【図８】本発明に係る小型近赤外線照射装置の電流制御ブロック図である。
【符号の説明】
【００４２】
２        小型近赤外線照射装置
３        筒状ケース
４        発光源
６        波長変換材
８        ポラライザ
１０      可視光線吸収材
１２      照射口
１４      サファイヤガラス
１６      接続ケーブル
２０      小型近赤外線照射装置
２２      半導体発光源
２３      半導体発光素子
２４      ポラライザ
２６      照射口
２８      サファイヤガラス
３０      接続ケーブル
３１      小型近赤外線照射装置（一体型）
３２      発光源
３４      発光制御器
３６      制御回路
３８      蓄電池
４０      小型近赤外線照射装置（分離型）
４２      筒状ケース
４４      発光制御器
４６      接続ケーブル
５０      制御回路
５２      時間制御回路
５４      電圧電流制御回路
５６      商用電源
５８      直流変換器
６０      充電器
６２      蓄電池
６４      乾電池
【図１】
2007044091.tif 000003
【図２】
2007044091.tif 000004
【図３】
2007044091.tif 000005
【図４】
2007044091.tif 000006
【図５】
2007044091.tif 000007
【図６】
2007044091.tif 000008
【図７】
2007044091.tif 000009
【図８】
2007044091.tif 000010